(57)【特許請求の範囲】
【請求項１】
オス連結部材と、メス連結部材とを含むコネクタ構造であって、
上記オス連結部材には嵌合リングが形成され、上記嵌合リングの外縁に弾性輪が設けられ、また上記嵌合リングの内縁に第一内壁面が形成され、上記オス連結部材は上記嵌合リングの内部にＴ字型に信号ベースと仕切り板が設けられ、上記信号ベースに複数の信号針が貫通され、上記オス連結部材には上記仕切り板によって２本の弾性電源棒が設けられ、上記信号ベースは２本の弾性電源棒に向かう一面にすべて凸部が形成され、また上記仕切り板には上記信号針方向に向かって当接面が形成され、
上記メス連結部材には外リングが形成され、上記外リングの内縁に第二内壁面が形成され、また上記メス連結部材は上記外リングの内部に互いに連接する信号コンセントと二つの電源コンセントが突設され、上記信号コンセントにはすべて弾性信号束管が設けられ、上記電源コンセントにはすべて電源接続管が設けられ、上記信号コンセントと上記電源コンセントともに上記第二内壁面と接触せず、また二つの電源コンセントの間はくりぬかれて回避溝が設けられ、上記信号コンセントは上記回避溝に向かって阻止面が形成され、また上記オス連結部材は上記嵌合リングによって上記メス連結部材の外リングに差し込まれ、上記信号コンセントと上記電源コンセントはそれぞれ上記嵌合リングの内部に貫通されることで、上記信号針と上記弾性電源棒はそれぞれ上記弾性信号束管と上記電源接続管に差し込まれ、上記嵌合リングの第一内壁面は上記信号コンセントと上記電源コンセントと接触せず、上記外リングの第二内壁面は上記弾性輪とだけ接触し、上記信号ベースの凸部が上記電源コンセントをその一部に当接させて、上記仕切り板の当接面が上記信号コンセントの阻止面をその一部に当接することを特徴とするコネクタ構造。
【請求項２】
上記オス連結部材は上記嵌合リングの外側底部に第一嵌合部が突設され、また上記メス連結部材は上記外リングの外側開口端に第二嵌合部が突設され、上記第一嵌合部と上記第二嵌合部は互いに当接して固定されることを特徴とする請求項１のコネクタ構造。
【請求項３】
上記メス連結部材の電源コンセントが外へ伸びた長さは上記信号コンセントが外へ伸びた長さより長いため、上記弾性電源棒は先に上記電源接続管に差し込んでガイドされた後、上記信号針が上記弾性信号束管に差し込まれることを特徴とする請求項１のコネクタ構造。
【請求項４】
上記弾性輪は波状に外へ向けて複数の凸リングが突設され、また上記弾性輪は上記凸リングによって上記外リングの第二内壁面に当接されることを特徴とする請求項１のコネクタ構造。
【請求項５】
上記嵌合リングは外表面にリング溝が凹設され、また上記弾性輪が上記リング溝内に収容され、上記凸リングは上記リング溝の外へ突出することで、上記弾性輪の位置限定効果と防水効果を奏することを特徴とする請求項４のコネクタ構造。
【請求項６】
上記オス連結部材は上記嵌合リングの反対方向に電源接続部が形成され、また上記弾性電源棒は上記電源接続部に電線套管が形成され、上記電線套管に正極電線束が貫通され、また上記電線套管は片面にプレス加工により第一凹面が形成され、上記第一凹面の内向きの凹みによって上記正極電線束が押し付けられることを特徴とする請求項１のコネクタ構造。
【請求項７】
上記電線套管は上記第一凹面の中央部分に片面プレス加工により第二凹面が形成され、上記第二凹面の内向きの凹みによって上記正極電線束が押し付けられることで、許容変形量内において上記電線套管と上記正極電線束との間における電気抵抗を低下させることを特徴とする請求項６のコネクタ構造。
【請求項８】
上記オス連結部材は上記嵌合リングの反対方向に信号接続部が形成され、また上記信号針の末端が上記信号接続部より露出され、上記電源接続部は上記信号接続部を相対して平坦表面が形成され、上記平坦表面は上記信号針が外へ電気接続する時、電線の一時的放置を提供することを特徴とする請求項６のコネクタ構造。
【請求項９】
上記メス連結部材は上記外リングの反対方向にメス連結部が形成され、また上記電源接続管はメス連結部に電線接続管が形成され、上記電線接続管は負極電線束が貫通され、また上記電線接続管は片面にプレス加工により第三凹面が形成され、第三凹面の内向きの凹みによって上記負極電線束が押し付けられることを特徴とする請求項１のコネクタ構造。
【請求項１０】
上記電線接続管は第三凹面の中央部分に片面プレス加工により第四凹面が形成され、また上記第四凹面の内向きの凹みによって上記負極電線束が押し付けられることで、許容変形量内において上記電線接続管と上記負極電線束との間における電気抵抗を低下させることを特徴とする請求項９のコネクタ構造。
【発明の詳細な説明】
【技術分野】
【０００１】
本発明はコネクタに関し、特に電源と信号源を接続し、さらに外力を受ける時は微振動して外力を吸収できるコネクタ構造に関する。
【背景技術】
【０００２】
従来のコネクタは電子信号と電流の接続部品であり、主な機能は各種電子装置の電流の接続に用いられ、信号がしっかり伝達でき、設備が作動できるようになっている。電動車産業において、コネクタは電池を接続するために極めて重要な部品であり、動力モータにおいても信号伝達においても安定な接続状態を維持する必要がある。上述のような従来構造をよく見ると不足する部分がまだ存在しており、主な原因は以下のようである。電動車が道路を走行する時、路面が平坦でない、スタートによる加速またはブレーキによる減速などの状況によって、電動車がずっと揺れたり、振動したりする。このような状況はコネクタの両端に振動または揺れを与えるため、コネクタの信号針は接触不良または振動で折れる恐れがある。このような状況を減らすために、多くの業者はコネクタのオス端とメス端との間の隙間を減らしている。このようなやり方はコネクタの揺れと振動を解消できるが、公差が小さすぎるために不良率を増やしてしまうし、オス端とメス端のコネクタが差し込みにくいという欠点を生じる。
【０００３】
従って、本発明者は長年にわたって関係商品の製造開発と設計経験により、上述の目標について、詳細な設計をして慎重に評価した結果、実用性に満ちた本発明を得た。
【発明の概要】
【発明が解決しようとする課題】
【０００４】
本発明が解決しようとする課題は、従来技術に存在する上述の欠点を解決し、コネクタ構造を提供することである。
【課題を解決するための手段】
【０００５】
コネクタ構造は、オス連結部材には嵌合リングが形成され、該嵌合リングの外縁に弾性輪が設けられ、また該嵌合リングの内縁に第一内壁面が形成される。該オス連結部材には該嵌合リングの内部にＴ字型に信号ベースと仕切り板が設けられ、該信号ベースに複数の信号針が貫通され、該オス連結部材には該仕切り板によって２本の弾性電源棒が設けられる。該信号ベースは２本の弾性電源棒に向かう一面にすべて凸部が形成され、また該仕切り板には該信号針方向に向かって当接面が形成される。メス連結部材には外リングが形成され、該外リングの内縁に第二内壁面が形成され、また該メス連結部材は該外リングの内部に互いに接続する信号コンセントと二つの電源コンセントが突設される。上述信号コンセントにはすべて弾性信号束管が設けられ、上述電源コンセントにはすべて電源接続管が設けられる。該信号コンセントと該電源コンセントともに該第二内壁面と接触せず、また二つの電源コンセントの間はくりぬかれて回避溝が設けられる。該信号コンセントには該回避溝に向かって阻止面が形成され、また該オス連結部材は該嵌合リングによって該メス連結部材の外リングに差し込まれる。該信号コンセントと該電源コンセントはそれぞれ該嵌合リングの内部に貫通されることで、該信号針と該弾性電源棒はそれぞれ該弾性信号束管と該電源接続管に差し込まれる。該嵌合リングの第一内壁面は該信号コンセントと該電源コンセントと接触せず、該外リングの第二内壁面は該弾性輪とだけ接触し、該信号ベースの凸部が該電源コンセントをその一部に当接して、該仕切り板の当接面が該信号コンセントの阻止面をその一部に当接させる。
【０００６】
該オス連結部材は該嵌合リングの外側底部に第一嵌合部が突設され、また該メス連結部材は該外リングの外側開口端に第二嵌合部が突設され、該第一嵌合部と該第二嵌合部は互いに当接させて固定される。
【０００７】
該メス連結部材の電源コンセントが外へ伸びた長さは該信号コンセントが外へ伸びた長さより長いため、該弾性電源棒は先に該電源接続管に差し込んでガイドされた後、該信号針が該弾性信号束管に差し込まれる。
【０００８】
該弾性輪は波状に外へ向けて複数の凸リングが突設され、また該弾性輪は該凸リングによって該外リングの第二内壁面に当接される。
【０００９】
該嵌合リングは外表面にリング溝が凹設され、また該弾性輪が該リング溝内に収容される。該凸リングは該リング溝の外へ突出することで、該弾性輪の位置限定効果と防水効果を奏する。
【００１０】
該オス連結部材は該嵌合リングの反対方向に電源接続部が形成され、また該弾性電源棒は該電源接続部に電線套管が形成され、該電線套管に正極電線束が貫通され、また該電線套管は片面にプレス加工により第一凹面が形成され、該第一凹面の内向きの凹みによって該正極電線束が押し付けられる。
【００１１】
該電線套管は該第一凹面の中央部分に片面プレス加工により第二凹面が形成され、該第二凹面の内向きの凹みによって該正極電線束が押し付けられることで、許容変形量内において該電線套管と該正極電線束との間における電気抵抗を低下させる。
【００１２】
該オス連結部材は該嵌合リングの反対方向に信号接続部が形成され、また該信号針の末端が該信号接続部より露出され、該電源接続部は該信号接続部を相対して平坦表面が形成され、該平坦表面は該信号針が外へ電気接続する時、電線の一時的な設置場所を提供する。
【００１３】
該メス連結部材は該外リングの反対方向にメス連結部が形成され、また該電源接続管はメス連結部に電線接続管が形成され、該電線接続管は負極電線束が貫通され、また該電線接続管は片面にプレス加工により第三凹面が形成され、第三凹面の内向きの凹みによって該負極電線束が押し付けられる。
【００１４】
該電線接続管は第三凹面の中央部分に片面プレス加工により第四凹面が形成され、また該第四凹面の内向きの凹みによって該負極電線束が押し付けられることで、許容変形量内において該電線接続管と該負極電線束との間における電気抵抗を低下させる。
【００１５】
本発明の第一の主な目的は、該オス連結部材と該メス連結部材を互いに差し込んで接続した後、該オス連結部材と該メス連結部材との間は最大の揺れと振動を許容する空間を有し、さらに該当接面によって該阻止面をその一部に押し当て、該凸部が該電源コンセントをその一部に当接させることで、該オス連結部材と該メス連結部材内部の三点がしっかり接触し、オス連結部材と該メス連結部材は上述の三点でしっかり接触する位置によって振動または揺れの位置が限定されて支点が形成できる。これによって、揺れと振動を完全に阻止しない状態において、該オス連結部材と該メス連結部材の揺れまたは振動幅を有効に縮小でき、該オス連結部材と該メス連結部材は外力を受ける時、微小振幅の揺れまたは振動を行えることで、外力を除去して該信号針を守るといった実用的な効果がある。
【００１６】
本発明の第二の主な目的は、該弾性電源棒は先に該電源接続管内に差し込んで、該弾性電源棒本体の弾性によってしっかり接続され、また該弾性輪が接触して該第二内壁面に沿ってスライド移動することで、適度な差し込み抵抗力とガイド効果が生じる。さらに差し込むと、該信号針は校正されて該弾性信号束管に照準を定めて差し込むことができる。該弾性電源棒のガイド機能と分かれて差し込まれるという特徴によって該オス連結部材と該メス連結部材は精密に互いに差し込まれて接続できる。最も注目すべきことは、上述の互いに差し込まれて接続する過程において、該嵌合リングの第一内壁面は該信号コンセントと該電源コンセントと接触せず、また該外リングの第二内壁面は該嵌合リングと接触しないことは、互いに差し込まれて接続する目的に影響しない上に、差し込みやすいといった実用的な機能も兼ねる。
【００１７】
本発明の第三の主な目的は、該電線套管には片面にプレス加工により該第一凹面と該第二凹面が形成され、また該第一凹面と該第二凹面の内向きの凹みによって該正極電線束が押し付けられ、該電線接続管は片面にプレス加工により該第三凹面と該第四凹面が形成され、該第三凹面と第二凹面の内向きの凹みによって該負極電線束が押し付けられることで、該正極電線束と該負極電線束の押し付け効果を有効に向上でき、また引張抵抗力を著しく向上でき、そしてより高い電流に適用できるため、同じ寸法規格と材料条件において安定的に高電流の環境に応用できる。
【図面の簡単な説明】
【００１８】
【図１】図１は、本発明に係るコネクタ構造を示す立体図である。
【図２】図２は、本発明に係るコネクタ構造を示す立体分解図である。
【図３】図３は、本発明に係るコネクタ構造を示す断面分解図である。
【図４】図４は、本発明の該弾性電源棒の位置の組合せ断面図である。
【図５】図５は、本発明の図４Ａ−Ａ断面の断面図である。
【図６】図６は、本発明の該仕切り板の位置の組合せ断面図である。
【図７】図７は、本発明の図６Ｂ−Ｂ断面の断面図である。
【図８】図８は、本発明の電線差し込み管の立体図である。
【発明を実施するための形態】
【００１９】
まず、図１から図７を参照されたい。本発明のコネクタ構造は、オス連結部材１０とメス連結部材２０とを含む。オス連結部材１０には嵌合リング１１が形成され、該嵌合リング１１の外縁に弾性輪１２が設けられ、また該嵌合リング１１は外表面にリング溝１１２が凹設され、また該弾性輪１２を該リング溝１１２内に収納され、該嵌合リング１１の内縁に第一内壁面１１１が形成される。該オス連結部材１０は該嵌合リング１１の内部にＴ字型に信号ベース１３と仕切り板１４が設けられ、該信号ベース１３に複数の信号針１５が貫通され、該オス連結部材１０には該仕切り板１４によって２本の弾性電源棒１６が設けられる。該信号ベース１３は２本の弾性電源棒１６に対向する一面にすべて凸部１３１が形成され、また該仕切り板１４には該信号針１５方向に向かって当接面１４１が形成され、該仕切り板１４は該当接面１４１と該第一内壁面１１１との間に誘導斜面１４２が形成される。そして、該オス連結部材１０は該嵌合リング１１の外側底部に第一嵌合部１７が突設され、また該オス連結部材１０は該嵌合リング１１の反対方向に信号接続部１８と電源接続部１９が形成される。また該信号針１５の末端が該信号接続部１８より露出され、該弾性電源棒１６の末端は該電源接続部１９より露出される。該電源接続部１９は該信号接続部１８に対向して平坦表面１９１が形成され、該平坦表面１９１は該信号針１５が外へ電気接続する時、電線（図に未表示）の一時的な設置場所を提供し、該溶接作業がより行いやすくする。メス連結部材２０には外リング２１が形成され、該外リング２１の外側開口端に第二嵌合部２２が突設され、該外リング２１の内縁に第二内壁面２１１が形成され、また該メス連結部材２０は該外リング２１の内部で互いに接続する信号コンセント２３と二つの電源コンセント２４が突設される。上述信号コンセント２３にはすべて弾性信号束管２５が設けられ、上述電源コンセント２４にはすべて電源接続管２６が設けられる。該信号コンセント２３と該電源コンセント２４ともに該第二内壁面２１１と接触せず、また二つの電源コンセント２４の間はくりぬかれて回避溝２４１が設けられる。該信号コンセント２３は該回避溝２４１に向かって阻止面２３１が形成され、また該オス連結部材１０は該嵌合リング１１によって該メス連結部材２０の外リング２１に差し込まれる。該信号コンセント２３と該電源コンセント２４はそれぞれ該嵌合リング１１の内部に貫通され、また該弾性輪１２には波状に外へ向けて複数の凸リング１２１が突設され、該凸リング１２１は該リング溝１１２の外に突設される。また該弾性輪１２は該凸リング１２１によって該外リング２１の第二内壁面２１１に当接されることで、該オス連結部材１０と該メス連結部材２０が互いに差し込まれる時、該弾性輪１２は該リング溝１１２の阻止を受けるため、阻止かつ位置限定の機能を生じ、弾性輪１２の機能の安定性を向上させる。また該凸リング１２１の数は４つで先が尖った状態を呈することで、該弾性輪１２の位置限定効果と防水効果を奏する。該信号針１５と該弾性電源棒１６はそれぞれ該弾性信号束管２５と該電源接続管２６に差し込まれる。嵌合の時、該メス連結部材２０の電源コンセント２４が外へ伸びた長さは該信号コンセント２３が外へ伸びた長さより長いため、該弾性電源棒１６は先に該電源接続管２６に差し込んでガイドされた後、該信号針１５が該弾性信号束管２５に差し込まれる。嵌合状態において、該第一嵌合部１７と該第二嵌合部２２は互いに当接されて固定される。該嵌合リング１１の第一内壁面１１１は該信号コンセント２３と該電源コンセント２４と接触せず、また該外リング２１の第二内壁面２１１は該弾性輪１２とだけ接触することは、該第二内壁面２１１は該嵌合リング１１と接触せず、また該信号ベース１３の凸部１３１が該電源コンセント２４をその一部に当接させて、該仕切り板１４の当接面１４１が該信号コンセント２３の阻止面２３１をその一部に当接させる。
【００２０】
実際に使用する効果は引き続き図１から図７を参照されたい。該オス連結部材１０の嵌合リング１１の外部に該弾性輪１２が設けられ、また該信号針１５が該信号ベース１３と該信号接続部１８に貫通され、該弾性電源棒１６が該電源接続部１９と該嵌合リング１１の内部に貫通されることで、該仕切り板１４が二つの電源接続部１９を仕切る。一方、該メス連結部材２０の弾性信号束管２５が該信号コンセント２３に貫通され、該電源接続管２６が該電源コンセント２４に貫通される。オス連結部材１０とメス連結部材２０が差し込まれて接続する時、該オス連結部材１０の嵌合リング１１が先に該メス連結部材２０の外リング２１の内部に差し込まれる。この時、該嵌合リング１１と該外リング２１は全く接触しないため、簡単に差し込める。適切な距離に差し込んだ時、該仕切り板１４が先に該回避溝２４１に入れられ、さらに該誘導斜面１４２によって正方向に滑り入れられる。該仕切り板１４と該回避溝２４１が互いに差し込まれる方式によって、使用者が方向を間違えることを防げることができ、すなわち差し間違った時はすぐに該仕切り板１４が該メス連結部材２０の信号コンセント２３に当接されるため、差し込み方向を間違うことで該信号針１５が折り曲げられたり、折れたりする状況が防げられる。さらに該オス連結部材１０が該メス連結部材２０に差し込まれる時、該弾性電源棒１６が該電源接続管２６内に直接差し込まれる。該弾性電源棒１６本体の弾性によってしっかりした接続が形成され、また該弾性輪１２が接触して該第二内壁面２１１に沿ってスライド移動することで、適度な差し込み抵抗力とガイド効果が生じる。さらに差し込まれると、該信号針１５は校正されて該弾性信号束管２５に照準を定めて差し込まれることで、該弾性電源棒１６のガイド機能と分かれて差し込まれる特徴によって該オス連結部材１０と該メス連結部材２０は精密に互いに差し込まれて接続できる。最も注目すべきことは、上述の互いに差し込まれて接続する過程において、該嵌合リング１１の第一内壁面１１１は該信号コンセント２３と該電源コンセント２４と接触せず、また該外リング２１の第二内壁面２１１は該嵌合リング１１と接触しないことは、嵌合リング１１、外リング２１、信号ベース１３、仕切り板１４、信号コンセント２３と電源コンセント２４との間にはすべて接触抵抗力を存在せず、互いに差し込まれて接続する目的に影響しない上に、差し込みやすいといった実用的な機能も兼ねる。互いに差し込まれて接続する最終段階で、該仕切り板１４の当接面１４１が該信号コンセント２３の阻止面２３１をその一部に当接させて、また該信号ベース１３の凸部１３１が該電源コンセント２４をその一部に当接させる。以上をまとめると、該オス連結部材１０と該メス連結部材２０が互いに差し込まれて接続した後、該オス連結部材１０の弾性電源棒１６は該メス連結部材２０の電源接続管２６内で弾性変形が形成され、また該弾性信号束管２５は該信号針１５の外に嵌められて弾性変形が形成され、該弾性輪１２は該外リング２１と該嵌合リング１１との間挟まれて、該凸リング１２１の弾性変形が形成される。これによって、該オス連結部材１０と該メス連結部材２０との間の最大の揺れと振動を許容する空間を提供でき、さらに該当接面１４１によって該阻止面２３１をその一部に押し当て、該凸部１３１が該電源コンセント２４をその一部に当接させることで、該オス連結部材１０と該メス連結部材２０内部の三点でしっかり接触し、オス連結部材１０と該メス連結部材２０は上述の三点でしっかり接触する位置によって振動または揺れの位置限定によって支点が形成できる。これによって、揺れと振動を完全に阻止しない状態において、該オス連結部材１０と該メス連結部材２０の揺れまたは振動幅を有効に縮小でき、該オス連結部材１０と該メス連結部材２０は外力を受ける時、微小振幅の揺れまたは振動を行えることで、外力を除去して該信号針１５を守るといった実用的な効果がある。
【００２１】
さらに効果を説明するために、続いて図２、図３と図８を参照されたい。該オス連結部材１０には該嵌合リング１１の反対方向に電源接続部１９が形成され、また該弾性電源棒１６には該電源接続部１９に電線套管１６１が形成され、該電線套管１６１には正極電線束１６ａが貫通され、また該電線套管１６１には片面にプレス加工により第一凹面１６２が形成され、該第一凹面１６２の内向きの凹みによって該正極電線束１６ａが押し付けられる。また該メス連結部材２０には該外リング２１の反対方向にメス連結部２７が形成され、また該電源接続管２６にはメス連結部２７に電線接続管２６１が形成され、該電線接続管２６１には負極電線束２６ａが貫通され、また該電線接続管２６１には片面にプレス加工により第三凹面２６２が形成され、第三凹面２６２の内向きの凹みによって該負極電線束２６ａが押し付けられることで、該電線套管１６１が該正極電線束１６ａと接続する目的と、該電線接続管２６１が該負極電線束２６ａと連接する目的を達する。そして、該弾性電源棒１６と該電源接続管２６はすべてアルミ合金材質より作られ、該正極電線束１６ａと該負極電線束２６ａはすべて多芯銅線より集合して作られるため、該電線套管１６１と該電線接続管２６１に対してプレス加工する時、材料の特性と寸法比率によって最大許容変形量の制限があり、すなわち許容変形量を超えると該電線套管１６１と該電線接続管２６１は圧力で破裂し、また該正極電線束１６ａと該負極電線束２６ａが押し潰される状況が発生する。該第一凹面１６２と該第三凹面２６２は片面にプレス加工により、許容変形量までプレスされる。片面をプレス加工することによって該第一凹面１６２と該第三凹面１６２の許容変形量を有効に増加できるため、引張抵抗力と導電接触効果を向上できる。
【００２２】
具体的な実施例について、引き続き図２、図３と図８を参照されたい。該弾性電源棒１６の第一凹面１６２と該電源接続管２６の第三凹面２６２はすべて正方形または長方形に凹設されるため、該第一凹面１６２と該第三凹面２６２の二つの対称する辺には押し潰されていない二つのリブ（１６３）（２６３）が形成される。該リブ（１６３）（２６３）は該電線套管１６１と該電線連接管２６１の最も押し潰されやすい位置に位置することで、該リブ（１６３）（２６３）によってこの位置の変形量を下げ、最大許容変形量を有効に向上させることができる。さらに、該電線套管１６１は該第一凹面１６２の中央部分に片面プレス加工により第二凹面１６４が形成され、該第二凹面１６４の内向きの凹みによって該正極電線束１６ａが押し付けられることで、許容変形量内において該電線套管１６１と該正極電線束１６ａとの間における電気抵抗を低下させる。該電線接続管２６１には該第三凹面２６２の中央部分に片面プレス加工により第四凹面２６４が形成され、また該第四凹面２６４の内向きの凹みによって該負極電線束２６ａが押し付けられることで、許容変形量内において該電線接続管２６１と該負極電線束２６ａとの間における電気抵抗を低下させる。その中、該第二凹面１６４と第四凹面２６４は正方形または長方形に凹設され、該第二凹面１６４は該第一凹面１６２の中央部分に形成され、該第二凹面１６４の縁と該第一凹面１６２の縁には適度な距離がある。また該第四凹面２６４は該第三凹面２６２の中央部分に形成され、該第四凹面２６４の縁と該第三凹面２６２の縁にも適度な距離があることで、該第二凹面１６４と該第四凹面２６４のプレス加工は最大許容変形量の影響を受けないため、該正極電線束１６ａと該負極電線束２６ａの押し付け効果を有効に向上することができ、さらに引張力テストと電流昇温テストにより、該第二凹面１６４と該第四凹面２６４は加工前後の比較において、引張抵抗力を著しく向上でき、そしてより高い電流に適用できるため、同じ寸法規格と材料条件において安定的に高電流の環境に応用できる。
【００２３】
以上は、本発明に係る実施例の一部に過ぎないため、本発明の実施範囲を制限するものではない。即ち、本発明の特許請求の範囲内で行われる変化、修飾なども本発明の範囲に属すべきである。
【符号の説明】
【００２４】
［本発明］
１０                    オス連結部材
１１                    嵌合リング
１１１                  第一内壁面
１１２                  リング溝
１２                    弾性輪
１２１                  凸リング
１３                    信号ベース
１３１                  凸部
１４                    仕切り板
１４１                  当接面
１４２                  誘導斜面
１５                    信号針
１６                    弾性電源棒
１６ａ                  正極電線束
１６１                  電線套管
１６２                  第一凹面
（１６３）（２６３）    リブ
１６４                  第二凹面
１７                    第一嵌合部
１８                    信号接続部
１９                    電源接続部
１９１                  平坦表面
２０                    メス連結部材
２１                    外リング
２１１                  第二内壁面
２２                    第二嵌合部
２３                    信号コンセント
２３１                  阻止面
２４                    電源コンセント
２４１                  回避溝
２５                    弾性信号束管
２６                    電源接続管
２６ａ                  負極電線束
２６１                  電線接続管
２６２                  第三凹面
２６４                  第四凹面
２７                    メス連結部
【図１】
0006952147.tif 000002
【図２】
0006952147.tif 000003
【図３】
0006952147.tif 000004
【図４】
0006952147.tif 000005
【図５】
0006952147.tif 000006
【図６】
0006952147.tif 000007
【図７】
0006952147.tif 000008
【図８】
0006952147.tif 000009